(57)【要約】  本発明は、てんかんのような神経疾患におかされた患者のモニター方法に関し、少なくとも下記工程からなることを特徴とする：バッファーに患者のビデオ画像を連続的に記録し、時点ｔ0で該患者の発作発生を判定し、時点ｔ0−ｎ分と時点ｔ0＋ｍ分との間でバッファーに記録されたビデオ画像を抽出し、そして時点ｔ0−ｎと時点ｔ0＋ｍとの間のビデオシーケンスを媒体に記録する。本発明はまた、本発明のモニター方法を用いて患者をモニターし、記録されたシーケンスを表示装置で見ることからなることを特徴とする、患者の神経疾患の診断方法にも関する。最後に、本発明は該方法を実施するための患者のモニター装置にも関する。
2009529931.tif 000002
【特許請求の範囲】
【請求項１】
少なくとも下記工程からなることを特徴とする、神経疾患に冒され易い患者をモニターする方法：
・バッファーメモリーに患者のビデオ画像を連続記録し、
・時点ｔ0での該患者の発作発生を判定し、
・時点ｔ0−ｎ分と時点ｔ0＋ｍ分との間でバッファーメモリーに記録されたビデオ画像を抽出し、そして
・時点ｔ0−ｎと時点ｔ0＋ｍとの間のビデオシーケンスを媒体に記録する。
【請求項２】
患者の発作発生の時点ｔ0が、該患者または任意の別人によっていわゆる時点ｔ'0で手動判定されることを特徴とする、請求項１に記載の方法。
【請求項３】
患者の発作発生の時点ｔ0が、少なくとも一連の下記工程によりいわゆる時点ｔ"0で自動判定されることを特徴とする、請求項１に記載の方法:
・患者の１または２以上の生理学的パラメータを記録し、そして
・記録された患者の生理学的パラメータの値を予め記録された閾値と比較し、発作発生は、患者の生理学的パラメータの値の１つが閾値の１つより高くなった時点ｔ"0に対応する。
【請求項４】
ｎの値が１０分から１分の間であることを特徴とする、請求項１〜３のいずれか１項に記載の方法。
【請求項５】
ｍの値が１０分から１分の間であることを特徴とする、請求項１〜３のいずれか１項に記載の方法。
【請求項６】
患者の生理学的パラメータの記録された値が、それを閾値と比較する前に処理されることを特徴とする、請求項３〜５のいずれか１項に記載の方法。
【請求項７】
各発作発生の時点ｔ0が該発作の時間頻度を求めるために記録されることを特徴とする、請求項１〜６のいずれか１項に記載の方法。
【請求項８】
請求項１〜７のいずれか１項に記載の方法で患者をモニターし、記録されたシーケンスを画像スクリーンで見ることからなることを特徴とする、患者の神経疾患の診断方法。
【請求項９】
請求項１〜７のいずれかに記載の方法を実施するための、例えばてんかんのような神経疾患に冒された患者をモニターするためのシステムであって、バッファーメモリー(13)にビデオ画像を連続記録するための手段(15)を備えたプロセシングユニット(10)に接続された、場合によりサウンドトラックを伴うビデオ画像を撮影する手段(12)、媒体にビデオ画像を記録する手段、および時点ｔ0で発作が起こった時に作動されうる、プロセシングユニット(9)に接続されたトリガー手段(4)を少なくとも含み、トリガー手段(4)の作動は、一方では時点ｔ0−ｎと時点ｔ0＋ｍとの間でバッファーメモリー(13)に連続的に記録されたビデオ画像と場合によりサウンドトラックのシーケンスの抽出を生じ、他方では記録された前記シーケンスの媒体への記録を生ずる。
【請求項１０】
トリガー手段(4)が手動トリガー(5)からなることを特徴とする、請求項９に記載のシステム。
【請求項１１】
トリガー手段(4)が、プロセシングユニット(10)に接続された１または２以上のプッシュボタン(5)からなることを特徴とする、請求項１０に記載のシステム。
【請求項１２】
プッシュボタン(5)が患者の手首に嵌めた腕輪に固定されていることを特徴とする、請求項１１に記載のシステム。
【請求項１３】
プッシュボタン(5)が患者の内輪の人の手首に嵌めた腕輪に固定されていることを特徴とする、請求項１１に記載のシステム。
【請求項１４】
プッシュボタン(5)が収集ユニット(2)の近くに配置されていることを特徴とする、請求項１１に記載のシステム。
【請求項１５】
トリガー手段(4)が、プロセシングユニット(10)に接続され、患者の１又は２以上の生理学的パラメータを読み出すことができる少なくとも一つのセンサー(6)からなることを特徴とする、請求項９に記載のシステム。
【請求項１６】
プロセシングユニット(10)、このプロセシングユニット(10)に接続されたビデオ画像撮影手段(12)および場合によりオーディオ集音手段、ならびに信号受信手段(8)を備えたベースユニット(9)と、トリガー手段(4)、信号収集ユニット(2)、およびプロセシングユニット(9)に接続された受信ユニット(8)と共働する該信号を送信する手段(7)を備えた、患者が装着することができる外来患者ユニット(1)とからなることを特徴とする、請求項９〜１５のいずれか１項に記載のシステム。
【請求項１７】
プロセシングユニット(9)に接続された画像スクリーン(14)を備えることを特徴とする、請求項９〜１６のいずれか１項に記載のシステム。
【発明の詳細な説明】
【技術分野】
【０００１】
本発明は患者、特にてんかんのような神経疾患の患者、のモニター（看視）方法および該方法を実施するためのシステムに関する。
【背景技術】
【０００２】
例えば、てんかんのような神経疾患を診断するために患者の脳が発する脳波（ＥＥＧ）および／または電波をモニターし、場合により記録するやり方は周知である。
このようなモニターに必要なかさばった高価な装置を考慮して、このモニターは一般に病院内で約１０日間行われる。
【０００３】
しかし、病院のベッドを空け、そしてより長期間の患者のモニターを可能にするために、患者の脳波をモニターするいわゆる外来患者（out-patient）システムが既に開発されている。例えば、これは米国特許第5,029,590号がそうであり、この特許には生命維持パラメータ、特に心電図（ＥＣＧ）および／または脳波（ＥＥＧ）を検出する携帯システムが記載されている。
【０００４】
心電図および／または脳波の記録はその後、疾患の診断を可能にし、および／または治療処置を患者の世話に適応させるために医師により分析される。
この種のシステムは、病院内のベッドの空きを作ることができるが、具体的に疾患の診断および／または患者の治療の適応に必要となる情報のうち制限された数の情報しか与えないという欠点がある。さらに、この種のシステムは、定期的に取り外すことになる患者に取付けた電極を交換するために専門家の介入を必要とする。
【特許文献１】米国特許第５,０２９,５９０号
【発明の開示】
【０００５】
本発明の目的の１つは、従来のモニターシステムを、疾患のより正確な診断および／または患者に施される治療のより効率的な適応を可能にするように改良することである。
この目的のために、本発明によると、特に少なくとも下記工程からなることを特徴とする、神経疾患に冒され易い患者をモニターする方法が提案される：
・バッファーメモリーへの患者のビデオ画像の連続記録、
・時点ｔ0での該患者の発作発生の判定、
・時点ｔ0−ｎ分と時点ｔ0＋ｍ分との間でバッファーメモリーに記録されたビデオ画像の抽出、および
・時点ｔ0−ｎと時点ｔ0＋ｍとの間のビデオシーケンスを媒体に記録する。
【０００６】
神経疾患はより具体的にはてんかん（癲癇）である。その治療管理はてんかんの形態によって異なる。
患者の発作発生の時点ｔ0は、該患者または任意の別人によっていわゆるｔ'0時点で手作業により判定される。
【０００７】
あるいは、患者の発作発生の時点ｔ0は、少なくとも下記の一連の工程のより、いわゆるｔ"0時点で自動的に判定される:
・患者の１または２以上の生理学的パラメータを記録し、そして
・記録された患者の生理学的パラメータの値を予め記録された閾値と比較し、発作発生は患者の生理学的パラメータの値の１つが閾値の１つより高くなった時点ｔ"0に対応する。
【０００８】
ｎの値は１０分から１分の間であり、ｍの値は１０分から１分の間である。
さらに、患者の生理学的パラメータの記録された値は、それを閾値と比較する前に処理される。
【０００９】
有利には、各発作発生の時点ｔ0は該発作の時間頻度を求めるために記録される。
本発明の別の目的は、特に本発明に係るモニター方法で患者をモニターし、画像スクリーン（画面）で記録されたシーケンスを見ることからなる、患者の神経疾患の診断方法に関する。
【００１０】
記録されたビデオシーケンスは、コンピュータ画面、テレビ画面などの任意の種類の表示手段で見ることができるので、ビデオシーケンスを読んだ実務者は神経発作の発生中の患者の挙動を観察することで診断を確立することができる。
【００１１】
本発明の最後の目的は、本発明に係る方法を実施するための、例えばてんかんのような神経疾患に冒された患者をモニターするためのシステムに関する。このシステムは、バッファーメモリーにビデオ画像を連続記録するための手段を備えたプロセシングユニットに接続された、場合によりサウンドトラックを伴うビデオ画像を撮影する手段、媒体にビデオ画像を記録する手段、および時点ｔ0で発作が起こった時に作動されうる、プロセシングユニットに接続されたトリガー手段を少なくとも含み、トリガー手段の作動は、一方では時点ｔ0−ｎと時点ｔ0＋ｍとの間でバッファーメモリーに連続的に記録されたビデオ画像と場合によりサウンドトラックのシーケンスの抽出を行い、他方では抽出されたこのシーケンスを媒体に記録する。
【００１２】
トリガー手段は、好ましくは、少なくとも１つの手動トリガー、より具体的にはプロセシングユニットに接続された１または２以上のプッシュボタンからなる。
さらに、プッシュボタンは有利には患者の手首に配置されたブレスレット（腕輪）に固定される。
【００１３】
本発明の他の利点および特性は、本発明に係る方法およびシステムの制限しない例として示す、添付図面を参照した以下の記載からより明らかとなろう。
【発明を実施するための最良の形態】
【００１４】
図１を参照すると、本発明に係る患者モニターシステムは、患者が着用することができるいわゆる外来患者ユニット１を備え、このユニット１は、電源ユニット３により電力を供給される信号収集（信号獲得）ユニット２を含んでいる。
【００１５】
外来患者ユニット１は、例えばＰＣ型コンピュータからなる収集ユニット２に接続されたいわゆるトリガー手段４をさらに含む。このトリガー手段４は、患者が発作の徴候を感じた時に患者自信が、或いは該患者の発作の徴候に気づいた患者の内輪の人また看護補助者といった第三者（別人）が作動させることができる１または２以上のプッシュボタン５からなる。プッシュボタン５を作動させると、これがいわゆるトリガー（起動）信号を収集ユニット２に送信する。
【００１６】
第１のプッシュボタン５は有利には、図示されていないが、患者の手首に配置された腕輪に固定されていてもよい。この腕輪は、トリガー信号を収集ユニット２に送信する手段を備え、ユニット２は対応する受信手段を備える。これらの送信および受信手段は、例えば、高周波電波送信機および受信機または当業者に周知の他の送信および受信手段からなるものでよい。
【００１７】
本モニターシステムは、例えば、収集ユニット２に接続され、その近くに配置された第２のプッシュボタン５、ならびに患者の内輪の誰かの手首に配置された第２の腕輪に固定された第３のプッシュボタン５を含んでいてもよい。各プッシュボタン５は、収集ユニット２が受信した信号の出所を認識できるように識別コードを備えている。
【００１８】
前記トリガー手段４は、患者の胸または患者の頭部もしくは手首に配置することができる電極６または多モードセンサーからなるものでもよい。「多モード」センサーとは、複数の量を測定することができるセンサーを意味する。
【００１９】
例えば、これらの電極６は心電図（ＥＣＧ）を測定し、これらの信号を収集ユニット２に送信する。
場合により、これらの電極６は、有利には患者の頭部にかぶせたヘルメットに固定されていて、脳波（ＥＧＧ）を測定し、その信号が収集ユニット２に送信される。
【００２０】
補助的に、多モードセンサーは、患者の動きを測定し、収集ユニットがてんかん発作の発生に対応する異常な動きを検出したら即座の発動を可能にする、加速度形または当業者には周知の同等の手段を含んでいてもよい。
【００２１】
前記トリガー手段４は有利には、収集ユニット２へのトリガー信号をキャンセルする手段を含んでいてもよい。このキャンセル手段は、例えば、２つの容量性センサーからなり、これらのセンサーは、数秒程度の一定時間だけ同時に押された時に収集ユニットにキャンセル信号を送信する。これらのキャンセル手段は、プッシュボタン５を有する腕輪または別のプッシュボタン５の近くに配置してもよい。これらの容量性センサーは有利には腕輪のプッシュボタン５の両側に配置されよう。これらの手段は従って、例えば、キーボードのキーからなるものでもよい。さらにトリガー手段４は、有利には、後で詳述するように、ビデオの記録を延長するためのいわゆる延長手段を含んでいてもよい。これらの延長手段は任意の独立した作動手段またはプッシュボタン５からなるものでよい。
【００２２】
さらに、本外来患者ユニット１は、いわゆるベースユニット９の受信手段８に信号を送信するために収集ユニット２に接続された送信手段７を含む。このベースユニットは、受信手段８に接続された、いわゆるプロセシングユニット１０を備える。このプロセシングユニット１０は、後で詳述するように、例えば、信号、より具体的には電極により送信された信号を処理するためのプログラムを備えたＰＣ型コンピュータからなる。このプロセシングユニット１０は内部クロックを備え、このクロックにより、外来患者ユニット１の収集ユニット２により送信された信号がデート化されうる。「デート化」とは、各受信信号に時間と日付を割り当てることができることを意味する。
【００２３】
さらに、ベースユニットは、プロセシングユニット１０に電力を供給する電源ユニット１１および例えばビデオカメラなどのビデオ画像撮影手段１２を備える。このカメラは、例えば、赤外感度または最低０.２ルックスの感度と、少なくとも４４０,０００ピクセルの解像度と、少なくとも２５画像／秒の速度を有するディジタルカメラからなる。
【００２４】
このベースユニット９はまた、プロセシングユニット１０に接続されているか、またはこれに組み込まれているバッファーメモリー１３も含んでおり、このメモリーに、患者に向けられたカメラ１２で撮影されたビデオ画像が、連続的に、かつループとして、記録される。
【００２５】
さらに、ベースユニット９は有利には、ビデオ画像をリアルタイムで見るため、および／または記録されたビデオ画像を見るためにプロセシングユニット１０に接続された画像スクリーン（画面、すなわち画像表示装置）１４を備える。
【００２６】
さらに、ベースユニット９は、時点ｔ0−ｎと時点ｔ0＋ｍとの間で（ここでｔ0はトリガー手段６が作動される時点であり、従って、患者の発作の発生、発作中、発作の後のいずれかに対応する時点）、患者の発作のビデオ画像を記録するためにプロセシングユニット１０に接続された記録手段１５も備える。この記録手段１５は、例えば、ＤＶＤ−ＲＯＭ（デジタル多目的ディスク−読み出し専用メモリー）もしくはＣＤ−ＲＯＭ（コンパクトでぃすく−読み出し専用メモリー）媒体、そうでなければビデオファイルが記録されたＵＳＢキーを受け入れることができるいわゆるＵＳＢ（汎用シリアルバス）ポートからなる。各発作のビデオ画像は第１のビデオファイルに記録され、特にトリガー手段の日付、時刻、識別子、さらには場合により記録を延長するための信号の送信機の識別子に関する情報は第２のいわゆるサブタイトルファイルに記録されることは認められよう。
【００２７】
ＤＶＤ−ＲＯＭ、ＣＤ−ＲＯＭまたはＵＳＢキーは、本発明の範囲を逸脱せずに本技術分野で公知の均等の任意の他の媒体で置換しうることは全く当然である。
その後、神経科医または任意の他の熟練医師は、媒体に記録された患者の発作のビデオ画像を見て、観察結果に応じて治療を適応させる。
【００２８】
本外来患者ユニット１は、記録手段やビデオ画像、さらには心電図（ＥＣＧ）および／もしくは脳波（ＥＥＧ）に対応する信号を何ら備えていないので特に軽量であることは認められよう。せいぜい、本外来患者ユニット１は、全部または一部の信号がベースユニット９へのその送信を可能にするために一時的に記録されるバッファーメモリーを備えるにすぎない。従って、このような軽量の外来患者ユニット１は、患者が連続した数日間、特に夜間、装置に煩わせずに移動することを可能にする。
【００２９】
さらに、ＤＶＤ−ＲＯＭ、ＣＤ−ＲＯＭまたはＵＳＢキーのような媒体に記録手段によりビデオ画像を記録する前に、このビデオ画像は収集ユニット２もしくはベースユニット９のバッファーメモリーまたは該ベースユニット９のハードディスクのいずれかに事前に記録されることは認められよう。
【００３０】
図２を参照すると、プロセシングユニット１０に記録されたコンピュータプログラムは、自動トリガーを判定するための第１工程１００を含むアルゴリズムを備える。この工程１００において、プロセシングユニット１０が受信した信号がリアルタイムで該ユニットに記録された閾値と比較される。プロセシングユニット１０が受信した信号の値が前記閾値より高い場合（工程１０１）、前記アルゴリズムがループ内で再スタートされる。他方、プロセシングユニット１０が受信した信号の値が該閾値より低い場合（工程１０２）、該アルゴリズムが工程１０３において、信号の値が閾値より低くなった時点ｔ"0を、プロセシングユニット１０の内部クロックにより提供される情報から決定する。
【００３１】
信号は、心電図（ＥＣＧ）および／もしくは脳波（ＥＥＧ）からの情報、ならびに／または多モードセンサーにより提供される情報に対応しうる。その場合、信号の値は、例えば、患者の心拍数および／または患者の脳波の周波数および／もしくは該脳波の強度および／または患者の異常な身振りの測定に対応する。
【００３２】
図には示していないが、自動トリガーを判定する工程１００の別の態様では、プロセシングユニット１０が受信する信号の形状を、これに記録された対照信号の１または２以上の形状と比較する。プロセシングユニット１０が受信した信号の形状が対照信号の形状と異なる場合（工程１０１）、前記アルゴリズムがループ内で再スタートされる。他方、プロセシングユニット１０が受信した信号の形状が対照信号の形状に一致する場合（工程１０２）、該アルゴリズムが工程１０３において、信号の形状が対照信号の形状に一致した時点ｔ"0を、プロセシングユニット１０の内部クロックにより提供される情報から決定する。
【００３３】
プロセシングユニットが受信した信号の形状を認識するこのようなアルゴリズムは比較的長い実行時間を有するので、時点ｔ0は患者の発作発生より後の時点に対応することは認められよう。
【００３４】
さらに、プロセシングユニット１０に記録されたコンピュータプログラムは、手動トリガーを判定する工程１０４を含んだアルゴリズムを備える。この工程１０４では、該アルゴリズムが時点ｔ'0でシステムのプッシュボタン５が送信したトリガー信号の存在を判定するよう調べる。システムが手動トリガー手段５を全く含んでいないか、または患者が例えば睡眠期中で該手動トリガー手段を作動させなかったために、本アルゴリズムが手動トリガー信号を全く検出しない場合（工程１０５）、該アルゴリズムはデフォルトにより無限の値をｔ'0に代入し、ループ内に再スタートされる。他方、該アルゴリズムが手動トリガー信号を検出した場合（工程１０６）、アルゴリズムは工程１０７においてプロセシングユニット１０が手動検出信号を受信した時点ｔ'0を、該プロセシングユニット１０の内部クロックにより提供される情報から決定する。
【００３５】
工程１０８では、該アルゴリズムが次にｔ'0とｔ"0とを比較する。
ｔ"0がｔ'0より小さいか、等しい場合、即ち、ｔ"0がｔ'0より先行する場合、工程１０９において、該アルゴリズムはｔ0がｔ"0に対応すると判断して、工程１１０において、時点ｔ0−ｎと時点ｔ0＋ｍとの間でプロセシングユニット１０のバッファーメモリーに記録されたビデオ画像を抽出する。ここで、ｔ0はｔ"0に等しい。こうして抽出されたビデオ画像はその後、工程１１１において、記録手段１５によって、例えばＤＶＤ−ＲＯＭまたはＵＳＢキーのような媒体上に１ファイルとして記録されるビデオシーケンスを形成するためにコンパイルされる。有利には、本アルゴリズムは該ファイルに、患者の発作の日付と時刻を含む名称を割り当てる。
【００３６】
さらに、ビデオファイルは、ファイルヘッダー、フレーム、ビデオデータ、およびカメラ１２が音声を記録する装置を備えている場合には有利には音声データからなることは認められよう。
【００３７】
さらに、ビデオシーケンスの記録の時刻および日付を示すクロックが有利にはビデオ画像内に嵌め込まれる。
ｔ"0がｔ'0より大きい場合、即ち、ｔ"0がｔ'0より後になる場合（工程１１２）、前記アルゴリズムはｔ0がｔ'0に対応すると判断して、工程１１３において、時点ｔ0−ｎと時点ｔ0＋ｍとの間でプロセシングユニット１０のバッファーメモリーに記録されたビデオ画像を抽出する。ここで、ｔ0はｔ'0に等しい。こうして抽出されたビデオ画像はその後、工程１１１において、媒体上に１ファイルとして記録されるビデオシーケンスを形成するためにコンパイルされる。
【００３８】
値ｎは２０分ないし２分であり、好ましくは５分に等しく、ｍの値も２０分ないし２分であり、好ましくは５分に等しい。有利には、媒体に記録されるビデオファイルのサイズを制限するためにｎおよびｍの値は５分に等しい。
【００３９】
ｎおよびｍの値は、患者が罹患している発作の種類に依存し、収集ユニット２に該ｎおよびｍの値を記録する担当者によってパラメータ化されてもよい。実際、一部の患者はてんかん発作時に意識を失わないので、発作の開始時に自分でプッシュボタン５を押すことができる。その場合には、ｎおよびｍの値は２分に等しくてもよい。別の患者はてんかん発作中に意識を失うので、プッシュボタン５を自分で押すことができない。その場合には、該患者の内輪の人がボタンを押すことになり、ｎおよびｍの値は好ましくは２０分に等しく選択することになろう。
【００４０】
その後、該アルゴリズムはループ内でスタートし、患者の次の発作の準備ができる。
ｔ0とｔ0＋ｍとの間で患者または内輪の人が延長手段を作動させた場合、前記アルゴリズムは工程１１３において、ｔ0−ｎとｔ0＋２ｍとの間でプロセシングユニット１０のバッファーメモリーに記録されたビデオ画像を抽出する。もちろん、延長手段は、ｔ0とｔ0＋２ｍとの間で２回目の作動をさせてもよく、その場合には、前記アルゴリズムは工程１１３において、ｔ0とｔ0＋３ｍとの間でプロセシングユニット１０のバッファーメモリーに記録されたビデオ画像を抽出する。以下、同じ。
【００４１】
キャンセル手段が、患者または患者の内輪の人によって、ｔ0とｔ0＋ｍとの間で、または延長手段が既に１回または複数回作動されている場合には、ｔ0とｔ0＋ｘｍ（ｘは２以上の整数）との間で作動された場合には、記録された画像は消去され、アルゴリズムは第１工程１００においてループ内で再スタートする。
【００４２】
図３を参照すると、別の態様では、本発明に係るシステムは、手動トリガー手段５を全く備えていない。その場合、アルゴリズムは自動トリガーを判定するための第１工程を含むアルゴリズムを備える。この工程１００では、プロセシングユニット１０が受信した信号がリアルタイムで該ユニット内に記録された閾値と比較される。既に述べたのと同様に、プロセシングユニット１０が受信した信号の値が閾値より高い場合には（工程１０１）、アルゴリズムはループ内で再スタートされる。他方、プロセシングユニット１０が受信した信号の値が該閾値より低い場合（工程１０２）、該アルゴリズムが工程１０３において、信号の値が閾値より低くなった時点ｔ"0を、プロセシングユニット１０の内部クロックにより提供される情報から決定する。
【００４３】
その後、アルゴリズムは、工程１１０において、時点ｔ0−ｎと時点ｔ0＋ｍとの間でプロセシングユニット１０のバッファーメモリーに記録されたビデオ画像を抽出する。ここで、ｔ0はｔ"0に等しい。こうして抽出されたビデオ画像はその後、工程１１１において、媒体上に１ファイルとして記録される患者のてんかん発作のビデオシーケンスを形成するためにコンパイルされる。
【００４４】
図４を参照すると、さらに別の態様では、本発明に係るシステムは、自動トリガー手段は全く備えておらず、手動トリガー手段５だけを備える。この場合、アルゴリズムは、手動トリガーを判定するための工程１０４を含むアルゴリズムを備える。この工程１０４では、アルゴリズムがシステムのプッシュボタン５が送信したトリガー信号の存在を判定するよう調べる。患者が例えば睡眠期中で患者もしくはその内輪の人が該手動トリガー手段５を作動させなかったために、アルゴリズムが手動トリガー信号を全く検出しなかった場合（工程１０５）、該アルゴリズムはループ内に再スタートされる。他方、該アルゴリズムが手動トリガー信号を検出した場合（工程１０６）、アルゴリズムは工程１０７において、プロセシングユニット１０が手動検出信号を受信した時点ｔ'0を、該プロセシングユニット１０の内部クロックにより提供される情報から決定する。
【００４５】
次に、該アルゴリズムは、工程１１０において、時点ｔ0−ｎと時点ｔ0＋ｍとの間でプロセシングユニット１０のバッファーメモリーに記録されたビデオ画像を抽出する。ここで、ｔ0はｔ'0に等しい。こうして抽出されたビデオ画像はその後、工程１１１において媒体上に１ファイルとして記録される患者のてんかん発作のビデオシーケンスを形成するためにコンパイルされる。
【００４６】
プッシュボタン５の時ならぬ圧力の場合にビデオ画像の記録をキャンセルするため、該記録は、該プッシュボタン５を数秒間押し続けることによりキャンセルするようにしてもよい。記録手順のキャンセル用の信号はその後、プロセシングユニット１０に送信され、このユニットがアルゴリズムの実行を停止させる。
【００４７】
てんかん発作に対応するビデオシーケンスはいくつかの異なる方法で記録されうる。
ビデオシーケンスをコンパイルするための第１の方法によると、１０分ないし１分、好ましくは５分に等しい時間からなる所定の時間のビデオシーケンスが、（ｎ−３）回目のビデオシーケンスを順に消去しながらバッファーメモリーに記録される。収集ユニット２がトリガー信号を検出したら、このユニットが、後で媒体に記録されるただ１つのビデオシーケンスだけを生成するためにその前と後のシーケンスによるトリガーにより記録されるビデオシーケンスをコンパイルする。
【００４８】
ビデオシーケンスをコンパイルする第２の方法によると、収集ユニット２のデータベース内に１／２４秒ごとに画像が記録され、各画像ファイルは１／１００秒内までの時刻と日付を伴う。収集ユニット２が時点ｔ0でトリガー信号を検出したら、該ユニットは時点ｔ0−ｎとｔ0＋ｍとの間で該データベース内に記録された画像ファイルの全体を、該画像の時間順序を含むビデオシーケンスを形成するためにコンパイルし、このビデオシーケンスが媒体に記録される。
【００４９】
収集ユニット２のデータベース内の画像記録は、例えば、１／１２秒ごとといったように任意の周波数（頻度）で実施できることは当然である。
さらに、当業者に周知の他のビデオシーケンスのコンパイル方法も本発明の範囲を逸脱せずに考えられることも当然である。
【００５０】
補助的に、心電図（ＥＣＧ）および／または脳波（ＥＥＧ）に対応する信号も連続的にバッファーメモリー内に記録して、ｔ0−ｎとｔ0＋ｍとの間からなる該信号のシーケンスを第２のファイルとして、ＤＶＤ−ＲＯＭのような媒体、好ましくはビデオファイルと同じ媒体に記録してもよい。
【００５１】
本発明に係るシステムの操作について、図１および５を参照しながら説明する。
時点ｔ0で発作が起こると、トリガー手段４、即ち、プッシュボタン５または自動トリガー手段６が、いわゆるトリガー信号をプロセシングユニット１０に送信する。キャンセル手段により送信されるキャンセル信号を受信しない場合には、その後、プロセシングユニット１０は、例えば、時点ｔ0−５分と時点ｔ0＋１０分との間でバッファーメモリー１３に連続的に記録されたビデオ画像を抽出し、次いでＤＶＤ−ＲＯＭ、ＵＳＢキーなどの媒体に１つのコンピュータビデオファイルとして抽出されたビデオシーケンスを記録する。
【００５２】
もちろん、１または２以上の延長信号がｔ0とｔ0＋１０分との間で収集ユニット２に送信された場合には、プロセシングユニット１０は時点ｔ0−５分と時点ｔ0＋ｘ１０分（ｘは延長信号の回数）との間でバッファーメモリー１３に連続的に記録されたビデオ画像を抽出し、次いで抽出されたビデオシーケンスをコンピュータビデオファイルとして、また日付およびトリガー手段の識別名に関する情報を特にコンピュータのいわゆるサブタイトルファイルとして、それぞれ記録する。
【００５３】
神経科医は、その後、ベースユニット９から、または別のコンピュータ上でＤＶＤ−ＲＯＭに記録された発作のビデオファイルを読み出すことにより発作のビデオシーケンスを見ることができよう。
【００５４】
最後に、以上に述べた例は単に特定の例示にすぎず、本発明の利用分野に関して何ら制限するものではないことは当然である。
【図面の簡単な説明】
【００５５】
【図１】本発明に係る患者モニターシステムの概要図。
【図２】本発明に係る方法を実施するためのコンピュータプログラムのフローチャートの概要図。
【図３】本発明に係る方法を実施するためのコンピュータプログラムのフローチャートの別の態様の概要図。
【図４】本発明に係る方法を実施するためのコンピュータプログラムのフローチャートのさらに別の態様の概要図。
【図５】本発明に係る患者モニターシステムの操作の概要図。
【図１】
2009529931.tif 000003
【図２】
2009529931.tif 000004
【図３】
2009529931.tif 000005
【図４】
2009529931.tif 000006
【図５】
2009529931.tif 000007
【国際調査報告】
2009529931.tif 000008
2009529931.tif 000009
2009529931.tif 000010
2009529931.tif 000011
2009529931.tif 000012
2009529931.tif 000013